(57)【要約】【課題】  ジャム処理中でも代替搬送を行い、ジャムによる搬送停止時間（エラー時間）の軽減をはかる。【解決手段】  複数の搬送経路と該搬送経路上のジャムを検出するジャム検出手段とを備えた画像形成装置において、前記複数の搬送経路から代替搬送を行う給紙段或いは排紙段を選択すると共に、ジャム処理中である場合でも代替搬送の継続を指示する指示手段を備えた。【選択図】  図１
2005247496.tif 000002
【特許請求の範囲】
【請求項１】
複数の搬送経路と該搬送経路上のジャムを検出するジャム検出手段とを備えた画像形成装置において、
前記複数の搬送経路から代替搬送を行う給紙段或いは排紙段を選択すると共に、ジャム処理中である場合でも代替搬送の継続を指示する指示手段を備えた画像形成装置。
【請求項２】
前記ジャム処理の操作位置を検出する操作位置検出手段と、
前記操作位置に基づいて前記代替搬送の継続または停止を指示する前記指示手段とを備えた請求項１記載の画像形成装置。
【請求項３】
前記指示手段は前記ジャム処理が終了した場合、前記ジャムが発生していた前記給紙段或いは排紙段に、搬送処理の再開を指示する請求項１または２記載の画像形成装置。
【発明の詳細な説明】
【技術分野】
【０００１】
本発明は、画像形成装置に関し、特にジャムが発生した場合でも搬送処理を継続する画像形成装置に関する。
【背景技術】
【０００２】
従来、ジャムが発生した場合でも搬送処理を継続する画像形成装置として、ジャムが検出された給紙部及び当該給紙部の搬送手段の駆動を停止し、他の給紙部及び当該給紙部の搬送手段の駆動に切り替える制御を行う技術が提案されている（特許文献１参照）。
【０００３】
これによって、ジャム処理を行う時間的な余裕がないとき、代替搬送を行うことで搬送処理を継続させていた。
【特許文献１】特開平０８−１１３４２６号公報
【発明の開示】
【発明が解決しようとする課題】
【０００４】
しかしながら、上述した従来技術では、ジャム処理を行う場合、ジャム処理を行っている間は、代替搬送を停止させなければならないという問題があった。
【０００５】
そこで、本発明では、ジャム処理中でも代替搬送を行い、ジャムによる搬送停止時間（エラー時間）の軽減をはかることを目的とする。
【課題を解決するための手段】
【０００６】
本発明は、複数の搬送経路と該搬送経路上のジャムを検出するジャム検出手段とを備えた画像形成装置を前提としている。
【０００７】
本発明は、前記複数の搬送経路から代替搬送を行う給紙段或いは排紙段を選択すると共に、ジャム処理中である場合でも代替搬送の継続を指示する指示手段を備えた構成としている。
【０００８】
このようにすれば、ジャム処理中でも代替搬送を行い、ジャムによる搬送停止時間（エラー時間）の軽減をはかることができる。
【０００９】
また、前記ジャム処理の操作位置を検出する操作位置検出手段と、前記操作位置に基づいて前記代替搬送の継続または停止を指示する前記指示手段とを備えた構成としてもよい。
【００１０】
このようにすれば、操作すべき位置を操作していない場合は代替搬送を停止させ、操作すべき位置を操作している場合は代替搬送を継続させることでジャム処理の安全性の確保ができる。
【００１１】
また、前記指示手段は前記ジャム処理が終了した場合、前記ジャムが発生していた前記給紙段或いは排紙段に、搬送処理の再開を指示する構成としてもよい。
【００１２】
このようにすれば、ジャム発生以前の当初の給紙段或いは排紙段にて搬送処理を継続することができる。
【発明の効果】
【００１３】
ジャム処理中でも代替搬送を行い、ジャムによる搬送停止時間（エラー時間）の軽減をはかることができる。さらに、ジャム処理をすべき操作位置以外で操作している場合に、代替搬送を停止することで安全性の確保ができる。また、ジャム発生以前の当初の給紙段或いは排紙段にて搬送処理を継続することができる。
【発明を実施するための最良の形態】
【００１４】
以下、本発明を画像形成装置としての複写機に適用した場合を例にとって説明する。
【００１５】
図１は本発明の実施の形態における複写機の機能ブロック図であり、図２は本発明の実施の形態における複写機の内部構造を示す概略図である。
【００１６】
本発明の実施の形態における複写機は、複数の搬送経路上にジャムを検出する複数からなるジャムセンサを備えており、給紙段群５を構成する給紙段５１〜５６各々に発生したジャムは、給紙段毎に設けられたジャムセンサＳ１〜Ｓ６が各々検出する構成としている。給紙段５７で発生したジャムについては、ジャムセンサＳ１０で検出する。
【００１７】
一方、排紙段群６を構成する排紙段６１〜６３はそれらが連結されて一体となっており、当該一体となっている排紙段６１〜６３は枠体に設けられた排出口７に対して図示しない駆動手段によって上下に移動できるようになっている。
【００１８】
ここで、最上段の排紙段６１と排出口７が符合している状態で、その排紙段６１を排紙の対象とした排紙（印刷）が完了したときに上記駆動手段が作動して上記排紙段６１〜６３が移動し、例えば排紙段６２と排出口７が符合する構成になっている。
【００１９】
ここで、上記排出口７の内側にジャムセンサＳ７が設けられているが、上記排紙段６１〜６３の排紙の際のジャムは当該ジャムセンサＳ７が共通して検出する構成としている。また、枠体上部には別の排出口８を設けており、該枠体上面に形成された排紙段６４に用紙が排出されるが、この排紙の際のジャムは上述とは別のジャムセンサＳ８が検出する構成としている。
【００２０】
給紙段群５の各々の給紙段５１〜５６には定められたサイズの用紙がセットできる構成となっており、複数ある給紙段５１〜５６各々のセットされる当該用紙の用紙サイズ情報が予め給紙段群５から指示手段２に入力されている。
【００２１】
以下では本発明の実施の形態における複写機の動作を説明する。
【００２２】
ユーザが原稿を原稿台にセットすると、原稿サイズ検出手段１が当該原稿のサイズを検出する。その後、上記原稿サイズ検出手段１は指示手段２に原稿サイズ情報を入力する。
【００２３】
上記入力された原稿サイズ情報に基づいて、指示手段２は当該原稿サイズに対応する給紙段５１〜５６のいずれかに搬送処理を行うことを指示する。また、排紙段６１〜６３の何れかに排紙するかを指示する。このとき、上記給紙段および排紙段はユーザが適宜、変更することが可能である。
【００２４】
スタートキーがＯＮされると、印刷処理が開始される。印刷処理を行っている最中に、使用している給紙段５１〜５６のいずれかにジャムが発生すると、ジャムセンサＳ１〜Ｓ６からなるジャム検出手段３が当該ジャムを検出し、このジャム検出信号が指示手段２に入力される。
【００２５】
この検出信号を受けて、指示手段２は上記入力された用紙サイズ情報、原稿サイズ情報及びジャム検出信号とに基づいて、代替搬送可能な給紙段５１〜５６のいずれかを選択し、当該選択された給紙段５１〜５６のいずれかに搬送処理を継続させる。例えば、ジャムセンサＳ３でジャムが発生した場合、給紙段５１または５２を選択して代替搬送すれば、ジャム原因となった用紙のない搬送路を確保できるので引き続き搬送処理が可能となる。
【００２６】
このことは、ジャムセンサＳ８でジャムが発生したときに、排紙段６１〜６３の何れかを選択して代替搬送する場合、またはジャムセンサＳ７でジャムが発生したときに排紙段６４で代替搬送する場合でも同様である。
【００２７】
要するに、ジャムが発生した位置よりも、用紙搬送方向の下流側となる給紙段と排紙段の組み合わせを選択するか、上流側となる給紙段と排紙段の組み合わせを選択することにより、代替搬送が可能となる。このような組み合わせがない場合は代替搬送を行う搬送経路を確保できないので、搬送処理を停止して、ユーザに対してジャム処理を行う旨の報知をすればよい。本実施形態においては、ジャムセンサＳ１０でジャムが発生した場合、Ｓ７およびＳ８の両方でジャムが発生した場合に代替搬送できないので、搬送処理を停止することになる。
【００２８】
なお、ジャムセンサＳ１〜Ｓ６の何れかでジャム検出されたときに、異なるサイズの用紙を給紙するのを望まない場合は、ジャム検出前と同サイズの用紙を収納した代替搬送に選択可能な給紙段がない限り搬送処理を停止させる設定としても良い。また、ジャムセンサＳ８でジャム検出されたときに、異なる排紙段６１〜６３で用紙が排出されるのを望まない場合は、搬送処理を停止させる設定としても良い。
【００２９】
ところで、ユーザがジャムの修復作業（ジャム処理）にとりかかるために、機枠のサイドカバーを開ける等の作業をすると、従来の複写機は代替搬送を停止してしまい、ジャムの修復時間（ジャム処理時間）としてジャムによる搬送停止時間（エラー時間）を設けなければならないという弊害があった。
【００３０】
そこで本発明では上記ジャム処理中でも、カバーや用紙カセット等を開けた場合に代替搬送の経路を開放しない限り、指示手段２は代替搬送で選択した給紙段に対して代替搬送の継続を指示する。
【００３１】
このようにすれば、ジャム処理中でも代替搬送を行い、ジャムによる搬送停止時間（エラー時間）の軽減をはかることができる。
【００３２】
またこのとき、ユーザがジャム処理の操作を行うべき位置とは異なる位置を操作してしまい、搬送動作中の装置に接触したりして怪我を負うなどの危険な状況を招くことがある。
【００３３】
そこで本発明では操作位置検出手段４を設け、ジャム処理を行っている操作位置を検出し、操作すべき位置を操作していない場合は代替搬送を停止させ、操作すべき位置を操作している場合は代替搬送を継続させる。このようにすればより安全な状態でジャム処理を行うことができる。
【００３４】
その後、ジャム処理が終了すると、指示手段２はジャムが発生していた給紙段５１〜５６、排紙段６１〜６３のいずれかに、搬送処理の再開を指示する。
【００３５】
このようにすれば、ジャム発生以前の当初の給紙段にて搬送処理を継続することができる。
【００３６】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００３７】
ジャム処理中でも代替搬送を行い、ジャムによる搬送停止時間（エラー時間）の軽減をはかることができるので有用である。
【図面の簡単な説明】
【００３８】
【図１】本発明の実施の形態における複写機の機能ブロック図である。
【図２】本発明の実施の形態における複写機の内部構造を示す概略図である。
【符号の説明】
【００３９】
２    指示手段
３    ジャム検出手段
４    操作位置検出手段
５    給紙段群
６    排紙段群
【図１】
2005247496.tif 000003
【図２】
2005247496.tif 000004